(57)【要約】【課題】入力変換部の種類によらず、入力変換部に異常があるかを判定し、異常があると判定された場合に、ユーザにその判定結果を報知する。【解決手段】  入力端子１１ａから取り込まれた信号を入力変換部Ａで所定の電圧範囲の電圧信号に変換し、所定の電圧範囲に変換される前段階の信号である前段信号とともに、それぞれ出力端子２１ａ、２２ａから処理部３０に出力する。選択部３１で電圧信号および前段信号を選択的に取り出す。チェック変換部３２は、入力変換部Ａの種類、つまり電圧信号に対応した回路に変更し、前段信号をチェック変換部３２で所定の電圧範囲であるチェック用信号に変換する。電圧信号およびチェック用信号は、Ａ／Ｄ変換部３３でディジタル変換され、ＣＰＵ部３５で差が検出され、その差が所定値以上である場合、入力変換部Ａに異常があると判定され、伝送信号による報知および表示部３７にその異常が報知される。【選択図】        図１
2007207035.tif 000002
【特許請求の範囲】
【請求項１】
設備または装置からの信号を所定の電圧範囲の電圧信号に変換して出力する入力変換部と、
上記入力変換部から出力される上記電圧信号に所定の処理を行って計測値を得る処理部と、
上記処理部で得られた上記計測値を伝送する伝送部とを備えたマルチトランスデューサであって、
種類を異にする入力変換部を含む複数個の上記入力変換部のうち所定の入力変換部から出力される上記電圧信号、および該電圧信号の前段階にある前段信号を選択的に取り出す信号選択部と、
上記所定の入力変換部の種類に応じた回路に変更して、上記信号選択部で取り出された上記前段信号を、上記信号選択部で取り出された上記電圧信号に対応したチェック用信号に変換して出力するチェック変換部と、
上記チェック変換部から出力される上記チェック用信号および上記信号選択部で取り出された上記電圧信号に基づいて、上記所定の入力変換部に異常があるか否かを判定する異常判定部と、
上記異常判定部の判定結果を報知する報知部とを有する
ことを特徴とするマルチトランスデューサ。
【請求項２】
上記入力変換部は、該入力変換部の種類を特定するための識別情報を記憶する識別情報記憶部をさらに有し、
上記チェック変換部は、上記識別情報記憶部が記憶する上記識別情報に基づいて上記前段信号を上記チェック用信号に変換するための回路を変更する
ことを特徴とする請求項１に記載のマルチトランスデューサ。
【発明の詳細な説明】
【技術分野】
【０００１】
この発明は、例えば、設備または装置からの信号を処理して遠隔監視所に伝送するマルチトランスデューサに関する。
【０００２】
詳しくは、この発明は、所定の入力変換部に係る出力電圧信号およびその前段階にある前段信号を選択的に取り出し、前段信号を所定の入力変換部の種類に応じて変更された回路でチェック用信号に変更し、出力電圧信号とこのチェック用信号に基づいて、所定の入力変換部に異常があるか否かを判定して異常を報知することによって、所定の入力変換部に異常があることをユーザに知らせ、異常がある入力変換部の交換をユーザに促すようにしたマルチトランスデューサに係るものである。
【背景技術】
【０００３】
従来、マルチトランスデューサは入力変換部と処理部とが一体となっていたため、入力変換部だけに異常が生じた場合でも、全体を取り換えなければならなかった。これにより、入力変換部を処理部から独立した基板構成とすることが考えられ、入力変換部に異常が生じた場合でも、入力変換部だけを取り換えることが可能となる。
【０００４】
このように、入力変換部が独立したマルチトランスデューサにあっては、入力変換部に異常が発生した場合に、それをユーザに知らせるようにすれば、異常がある入力変換部の交換をスムーズに行うことができるので便利である。
【０００５】
そこで、従来、入力信号を、入力変換部（入力回路）に設けたアナログフィルタにかける際に、このアナログフィルタの特性変化に異常がないかを判定するための、特性変化検出器が提案されている（特許文献１参照）。この特性変化検出器は、入力変換部に設けたアナログフィルタから出力される信号値と、同一特性を有している基準アナログフィルタから出力される信号値との比較を行って、アナログフィルタの異常を判定するものであった。
【０００６】
【特許文献１】特開２００２−３２８１４５号公報
【発明の開示】
【発明が解決しようとする課題】
【０００７】
しかし、特許文献１に記載の発明では、上述したように、各入力変換部はいずれも同一特性のアナログフィルタで構成されており、異常を検出するための基準アナログフィルタは常に同じものが使用されていた。このため、入力信号の種類が異なり、これに伴って入力変換部の種類が異なるような場合には、対応することができなかった。
【０００８】
また、入力変換部の種類が異なる場合に、基準アナログフィルタから入力変換部の種類に対応した別の回路に変更して異常を検出する技術については何ら示唆されていなかった。
【０００９】
この発明の目的は、入力信号を変換する入力変換部の種類によらずその異常を良好に検出してユーザに知らせ、入力変換部の交換の便宜に資することにある。
【課題を解決するための手段】
【００１０】
この発明の概念は、
設備または装置からの信号を所定の電圧範囲の電圧信号に変換して出力する入力変換部と、
上記入力変換部から出力される上記電圧信号に所定の処理を行って計測値を得る処理部と、
上記処理部で得られた上記計測値を伝送する伝送部とを備えたマルチトランスデューサであって、
種類を異にする入力変換部を含む複数個の上記入力変換部のうち所定の入力変換部から出力される上記電圧信号、および該電圧信号の前段階にある前段信号を選択的に取り出す信号選択部と、
上記所定の入力変換部の種類に応じた回路に変更して、上記信号選択部で取り出された上記前段信号を、上記信号選択部で取り出された上記電圧信号に対応したチェック用信号に変換して出力するチェック変換部と、
上記チェック変換部から出力される上記チェック用信号および上記信号選択部で取り出された上記電圧信号に基づいて、上記所定の入力変換部に異常があるか否かを判定する異常判定部と、
上記異常判定部の判定結果を報知する報知部とを有する
ことを特徴とするマルチトランスデューサにある。
【００１１】
この発明において、マルチトランスデューサは、種類を異にする入力変換部を含む複数個の入力変換部を有している。これらの入力変換部は、それぞれ、例えば、処理部から独立した基板となっており、設備または装置から出力されるアナログ信号、例えば、電流信号や電圧信号が取り込まれる。
【００１２】
入力変換部によって取り込まれた入力信号は、例えば、入力変換部に設けられたフィルタ回路やレベル変換回路等によって所定の電圧範囲の電圧信号に変換されて出力される。所定の電圧範囲とは、例えば、アナログ／ディジタル変換を行うための電圧範囲である。１つまたは複数の入力変換部から出力される電圧信号に対して、処理部によって所定の処理、例えば、アナログ／ディジタル変換や、所定項目の演算処理等が行われた結果、伝送信号が得られる。伝送信号は、所定箇所、例えば複数のマルチトランスデューサから演算結果を収集する遠隔監視所に伝送される。
【００１３】
また、入力変換部では、上述した、信号を所定の電圧範囲の電圧信号に変換するための、フィルタ回路、レベル変換回路等を通らず、電圧信号の前段階にあり、所定の電圧範囲に変換されていない前段信号が出力される。
【００１４】
また、入力変換部は、入力変換部の種類を特定するための識別情報を記憶する識別情報記憶部を有していてもよい。ここで、入力変換部の種類は、その入力変換部が取り込むアナログ信号の種類（電圧信号、電流信号等）に対応している。
【００１５】
複数個の入力変換部のうち所定の入力変換部に係る電圧信号および前段信号が信号選択部において選択的に取り出されて、この所定の入力変換部の異常判定に用いられる。
【００１６】
また、チェック変換部は所定の入力変換部の種類に応じた回路に変更される。この回路の変更は、例えば、識別情報記憶部で記憶される識別情報に基づいて変更される。前段信号は、このチェック変換部の回路を通って、例えば、フィルタ回路、レベル回路等を通った電圧信号に対応したチェック用信号に変換されて、出力される。
【００１７】
信号選択部から出力される電圧信号、およびチェック変換部から出力されるチェック用信号に基づいて、所定の入力変換部に異常があるか否かが判定される。異常の判定は、例えば、電圧信号とチェック用信号との差を検出し、その差が所定値以上であるか否かで決められ、報知部で、異常判定の判定結果が報知される。
【００１８】
報知部は、例えば、発光素子で構成され、どの入力変換部に異常があるのかがわかりやすく表示される。また、伝送部から遠隔監視所に伝送する伝送信号に、入力変換部の異常を示す情報を設け、遠隔監視所に異常を報知することも可能である。
【発明の効果】
【００１９】
この発明によれば、所定の入力変換部に係る出力電圧信号およびその前段階にある前段信号を選択的に取り出し、前段信号を所定の入力変換部の種類に応じて変更された回路でチェック用信号に変更し、出力電圧信号とこのチェック用信号に基づいて、所定の入力変換部に異常があるか否かを判定して異常を報知するものであり、所定の入力変換部に異常があることをユーザに知らせ、異常がある入力変換部の交換をユーザに促すことができる。
【発明を実施するための最良の形態】
【００２０】
以下、図面を参照しながら、この発明の実施の形態について説明する。
【００２１】
図１は、マルチトランスデューサ１００の構成を示す図である。図１に示すように、マルチトランスデューサ１００は、入力変換部Ａ〜Ｇと、処理部３０とからなる。
【００２２】
入力変換部Ａ〜Ｇはそれぞれ処理部３０から独立した基板に形成されており、それぞれ、被取り込み箇所である設備または装置からの、アナログ信号を取り込む入力端子１１ａ〜１１ｇを有している。
【００２３】
入力変換部Ａ〜Ｇは、入力端子１１ａ〜１１ｇで取り込んだアナログ信号を所定の電圧範囲内の電圧信号に変換する。
【００２４】
以下、図２〜図５の図面を参照しながら、入力変換部Ａ〜Ｇとして用いられる入力変換部の構成例を説明する。
【００２５】
図２は、取り込まれる信号が電圧信号である場合の入力変換部Ａの構成を示す図である。
【００２６】
入力変換部Ａは、図２に示すように、上述した入力端子１１ａに加えて、出力端子２１ａ、２２ａ、２３ａと、補助ＰＴ（Potential  Transformer）４１と、フィルタ回路４２と、レベル変換回路４３とを有している。補助ＰＴ４１とは、計器用変圧器であり、入力端子１１ａから取り込まれた電圧信号は、補助ＰＴ４１で電圧値が変換された後、アンチエイリアスフィルタであるフィルタ回路４２にてフィルタリングされ、後述するＡ／Ｄ変換部３３でディジタル変換を行うために、レベル変換回路４３でＡ／Ｄ変換用の信号レベル（最大±５Ｖ）に変換される。これらを通った電圧信号は、出力端子２１ａから出力された後、処理部３０の入力端子２４ａに入力される。
【００２７】
また、入力端子１１ａから取り込まれた電圧信号は、補助ＰＴ４１で電圧値が変換された後、フィルタ回路４２およびレベル変換回路４３からなる回路系に異常があるかをチェックするために、フィルタ回路４２およびレベル変換回路４３を通すことなく、前段信号として出力端子２２ａから出力された後、処理部３０の入力端子２５ａに入力される。
【００２８】
また、入力変換部Ａは、識別情報記憶部４４を有している。この識別情報記憶部４４は、例えば、メモリあるいはスイッチで構成されており、入力変換部Ａの種類を特定するための識別情報を記憶している。この入力変換部Ａの識別情報は、この入力変換部Ａが取り込むアナログ信号の種類に対応している。この識別情報記憶部４４に記憶されている識別情報は、出力端子２３ａから出力された後、処理部３０の入力端子２６ａに入力される。
【００２９】
このように入力変換部Ａに識別情報記憶部を設けることで、入力変換部Ａが無作為に取り付けられるようなマルチトランスデューサであっても、入力変換部Ａが取り付けられれば、識別情報記憶部４４に記憶されている識別情報に基づいて、入力変換部Ａであること、および入力変換部Ａが取り込む信号の種類（この場合、電圧信号であること）が即座にＣＰＵ部３５で特定される。
【００３０】
図３は、取り込まれる信号が電流信号である場合の入力変換部Ｂの構成を示す図である。
【００３１】
入力変換部Ｂは、図３に示すように、上述した入力端子１１ｂに加えて、出力端子２１ｂ、２２ｂ、２３ｂと、補助ＣＴ（Current Transformer）５１と、電圧変換回路５２と、フィルタ回路５３と、レベル変換回路５４とを有している。
【００３２】
補助ＣＴ５１とは、変流器であり、入力端子１１ｂから取り込まれた電流信号は補助ＣＴ５１で電流値が変換された後、電圧変換回路５２で電圧信号に変換され、図２の場合と同様に、アンチエイリアスフィルタであるフィルタ回路５３にてフィルタリングされ、レベル変換回路５４で、Ａ／Ｄ変換部３３で変換するための、Ａ／Ｄ変換用の信号レベル（最大±５Ｖ）に変換される。変換された電圧信号は、出力端子２１ｂから出力された後、処理部３０の入力端子２４ｂに入力される。
【００３３】
また、入力端子１１ｂから取り込まれ、補助ＣＴ５１を通った電流信号は、電圧変換回路５２で電圧信号に変換され、フィルタ回路５３およびレベル変換回路５４からなる回路系に異常があるかをチェックするために、フィルタ回路５３およびレベル変換回路５４を通すことなく、前段信号として出力端子２２ｂから出力された後、処理部３０の入力端子２５ｂに入力される。
【００３４】
また、入力変換部Ｂは、入力変換部Ａの場合と同様に、識別情報記憶部５５を有している。この識別情報記憶部５５は、例えば、メモリあるいはスイッチで構成されており、入力変換部Ｂの種類を特定するための識別情報を記憶している。この入力変換部Ｂの識別情報は、この入力変換部Ｂが取り込むアナログ信号の種類に対応している。この識別情報記憶部５５に記憶されている識別情報は、出力端子２３ｂから出力された後、処理部３０の入力端子２６ｂに入力される。
【００３５】
図４は、取り込まれる信号が直流電流信号（ＤＣ４−２０ｍＡ）である場合の入力変換部Ｃの構成を示す図である。
【００３６】
入力変換部Ｃは、図４に示すように、上述した入力端子１１ｃに加えて、出力端子２１ｃ、２２ｃ、２３ｃと、電圧変換回路６１と、絶縁アンプ６２と、フィルタ回路６３とを有している。入力端子１１ｃから取り込まれた直流電流信号は、電圧変換回路６１で直流電流信号からのＡ／Ｄ変換用の信号レベルである０〜５Ｖの直流電圧信号に変換された後、絶縁アンプ６２で絶縁され、さらにフィルタ回路６３にて交流成分が除去される。これらを通った電圧信号は、出力端子２１ｃから出力された後、処理部３０の入力端子２４ｃに入力される。
【００３７】
また、入力端子１１ｃから取り込まれた信号は、電圧変換回路６１で電圧に変換され、絶縁アンプ６２で絶縁された後、フィルタ回路６３に異常があるかをチェックするために、フィルタ回路６３を通すことなく、前段信号として出力端子２２ｃから出力された後、処理部３０の入力端子２５ｃに入力される。
【００３８】
また、入力変換部Ｃは、上述した入力変換部Ａ、Ｂと同様に、識別情報記憶部６４を有している。この識別情報記憶部６４は、例えばメモリあるいはスイッチで構成されており、入力変換部Ｃの種類を特定するための識別情報を記憶している。この入力変換部Ｃの識別情報は、この入力変換部Ｃが取り込むアナログ信号の種類に対応している。この識別情報記憶部６４に記憶されている識別情報は、出力端子２３ｃから出力された後、処理部３０の入力端子２６ｃに入力される。
【００３９】
図５は、入力変換部Ｄの外部に温度センサ８０が取り付けられた入力変換部Ｄの構成を示す図である。
【００４０】
入力変換部Ｄは、図５に示すように、入力変換部Ｄの外部に取り付けられた温度センサ８０と、上述した入力端子１１ｄに加えて、出力端子２１ｄ、２２ｄ、２３ｄと、電圧変換回路７１と、絶縁アンプ７２と、フィルタ回路７３とを有している。
【００４１】
外部に取り付けられた温度センサ８０は、例えば、サーミスタである。温度センサ８０から検出される温度検出信号（抵抗値）は、入力端子１１ｄで取り込まれる。取り込まれた温度検出信号は、電圧変換回路７１でＡ／Ｄ変換用の信号レベルである、０〜５Ｖの直流電圧信号に変換された後、絶縁アンプ７２で絶縁され、さらにフィルタ回路７３にて交流成分が除去される。これらを通った電圧信号は、出力端子２１ｄから出力された後、処理部３０の入力端子２４ｄに入力される。
【００４２】
また、入力端子１１ｄから取り込まれた信号は、電圧変換回路７１で電圧に変換され、絶縁アンプ７２で絶縁された後、フィルタ回路７３に異常があるかをチェックするために、フィルタ回路７３を通すことなく、前段信号として出力端子２２ｄから出力された後、処理部３０の入力端子２５ｄに入力される。
【００４３】
また、入力変換部Ｄは、上述した入力変換部Ａ、Ｂ、Ｃと同様に、識別情報記憶部７４を有している。この識別情報記憶部７４は、例えば、メモリあるいはスイッチで構成されており、入力変換部Ｄの種類を特定するための識別情報を記憶している。この入力変換部Ｄの識別情報は、この入力変換部Ｄが取り込むアナログ信号の種類に対応している。この識別情報記憶部７４に記憶されている識別情報は、出力端子２３ｄから出力される。出力された識別情報は、処理部３０の入力信号２６ｄに入力される。
【００４４】
また、図１に示すその他の入力変換部Ｅ〜Ｇも、それぞれ、電圧信号を出力するための出力端子２１ｅ〜２１ｇ、所定の電圧範囲に変換されていない電圧信号（前段信号）を出力するための出力端子２２ｅ〜２２ｇ、識別情報を出力するための出力端子２３ｅ〜２３ｇを有する。
【００４５】
出力端子２１ｅ〜２１ｇから出力された所定範囲の電圧信号は、図２〜図５を用いて説明した入力変換部Ａ〜Ｄと同様に、それぞれ処理部３０の入力端子２４ｅ〜２４ｇに入力され、出力端子２２ｅ〜２２ｇから出力された前段信号は、それぞれ処理部３０の入力端子２５ｅ〜２５ｇに入力され、出力端子２３ｅ〜２３ｇから出力された識別情報は、それぞれ処理部３０の入力端子２６ｅ〜２６ｇに入力される。
【００４６】
ちなみに、図１では、入力変換部Ａ〜Ｇの全てが処理部３０に接続されているが、実際には、遠隔監視所２００に伝送する信号を得るために必要な入力変換部のみを、マルチトランスデューサ１００に取り付ければよい。
【００４７】
次に、図１を用いて処理部３０の構成について説明する。処理部３０は、選択部３１と、チェック変換部３２と、Ａ／Ｄ（Analog／Digital）変換部３３と、記憶部３４と、ＣＰＵ（Central Processing Unit）部３５と、伝送部３６と、表示部３７とからなる。
【００４８】
入力変換部Ａ〜Ｇの出力端子２１ａ〜２１ｇから出力された電圧信号および入力変換部Ａ〜Ｇの出力端子２２ａ〜２２ｇから出力された前段信号は、それぞれ、入力端子２４ａ〜２４ｇおよび入力端子２５ａ〜２５ｇから処理部３０に取り込まれ、選択部３１に供給される。
【００４９】
また、入力変換部Ａ〜Ｇの出力端子２３ａ〜２３ｇから出力された識別情報は、入力端子２６ａ〜２６ｇから処理部３０に取り込まれ、ＣＰＵ部３５に供給される。
【００５０】
選択部３１は、例えばマルチプレクサである。また、選択部３１は信号選択部を構成している。選択部３１では、例えば、入力端子２４ａ〜２４ｇ、入力端子２５ａ〜２５ｇから取り込まれた多数の電圧信号、前段信号の中から、所定の入力変換部に係る電圧信号および前段信号が選択的に取り出される。選択部３１で取り出された電圧信号は、Ａ／Ｄ変換部３３へと送られる。
【００５１】
このように、選択部３１を設けることによって、複数の電圧信号を順次切り替えて、Ａ／Ｄ変換部３３でＡ／Ｄ変換を行うことにより、Ａ／Ｄ変換部３３を複数設ける必要がなく、複数の電圧信号のサンプリングを低コストで行うことができる。
【００５２】
選択部３１からＡ／Ｄ変換部３３へ送られてくる電圧信号は、Ａ／Ｄ変換部３３において、ディジタルデータに変換された後にＣＰＵ部３５に供給される。
【００５３】
ＣＰＵ部３５は、記憶部３４に記憶されている、いかなる位置の入力変換部からの出力電圧信号を用いて、いかなる処理を行って、いかなる計測値を得るかという情報に基づいて、所定の入力変換部からの電圧信号を用いて演算処理を行う。この情報の記憶は、例えば、入力変換部を処理部３０に取り付ける際に、予めユーザの操作により行われる（操作部は図示せず）。
【００５４】
ＣＰＵ部３５で算出された計測値は、読み出し可能な記憶部３４に記憶される。また、例えば、所定時間毎に送られてくる遠隔監視所２００からの読み出し要求に応じて、伝送信号として、伝送部３６で、出力端子２７から出力され、伝送線を介して遠隔監視所２００に伝送される。
【００５５】
このようにして、入力変換部Ａ〜Ｇで所定の電圧範囲の電圧信号に変換された電圧信号は、演算処理に用いられ、これらに基づいて計測値が算出されるので、例えば、入力変換部Ａに設けられたフィルタ回路４２またはレベル変換回路４３、つまり入力変換部Ａに異常がある場合は、入力変換部Ａからの電圧信号を用いて演算処理を行ったとき、算出された計測値が大幅に変動するおそれがある。そこで、入力変換部Ａに異常があるかを点検し、異常があると判定した場合に、ユーザに報知し、その交換を促すことが望まれる。
【００５６】
チェック変換部３２は、選択部３１で取り出された所定の入力変換部からの前段信号を、所定の入力変換部からの電圧信号に対応したチェック用信号に変換する。この場合、チェック変換部３２の回路は、ＣＰＵ部３５の制御のもと、所定の入力変換部の識別情報に基づいて変更される。例えば、所定の入力変換部が入力変換部Ａであるときは、フィルタ回路４２、レベル変換回路４３に相当する回路系に変更される。
【００５７】
また、例えば、所定の入力変換部が入力変換部Ｃであるときは、フィルタ回路６３に相当する回路系に変更される。このチェック変換部３２からのチェック用信号は、Ａ／Ｄ変換部３３でディジタル信号に変換された後に、ＣＰＵ部３５に供給される。ＣＰＵ部３５は、所定の入力変換部に係る電圧信号、およびチェック用信号に基づいて、この所定の入力変換部に異常があるか否かを判定する。
【００５８】
以下、入力変換部Ａに異常があるか否かを判定し、異常があると判定する場合に、遠隔監視所２００および付近のユーザに報知を行う場合のＣＰＵ部３５の動作について説明する。
【００５９】
図６は、入力変換部Ａの異常を判定する際のＣＰＵ部３５の動作を示すフローチャートである。以下、図６のフローチャートを用いて、ＣＰＵ部３５の動作について説明する。
【００６０】
まず、ＣＰＵ部３５は、ステップＳＴ１で、選択部３１を入力変換部Ａに係る電圧信号および前段信号を取り出す状態として動作を開始する。
【００６１】
ステップＳＴ２では、ＣＰＵ部３５は、識別情報記憶部４４から出力された識別情報に基づいて、チェック変換部３２の回路を、フィルタ回路４２、レベル変換回路４３に相当する回路系に変更する。
【００６２】
これにより、選択部３１で取り出された前段信号は、チェック変換部３２において、入力変換部Ａで変換された電圧信号と同じ電圧範囲であるチェック用信号に変換される。
【００６３】
次に、ＣＰＵ部３５は、ステップＳＴ３で、Ａ／Ｄ変換部３３でディジタル変換されたチェック用信号と、同じくＡ／Ｄ変換部３３でディジタル変換された電圧信号との差を検出する。そして、ステップＳＴ４において、ＣＰＵ部３５は、これらから検出される差が所定値以上であるかを判定する。
【００６４】
ＣＰＵ部３５は、ステップＳＴ４で、ステップＳＴ３で検出された差が所定値以上ではないと判定する場合は、ステップＳＴ６で、入力変換部Ａに異常がないと判定する。この後、ステップＳＴ９で、ＣＰＵ部３５は一連の動作を終了する。
【００６５】
逆に、ＣＰＵ部３５は、ステップＳＴ４で、ステップＳＴ３で検出された差が所定値以上であると判定する場合は、ステップＳＴ５で入力変換部Ａに異常があると判定し、ステップＳＴ７で、異常が発生した入力変換部を特定できる情報、および異常があることを検出した時刻を異常情報として、記憶部３４に記憶する。
【００６６】
なお、ステップＳＴ５およびステップＳＴ６のＣＰＵ部３５の動作により、このＣＰＵ部３５は異常判定部を構成している。
【００６７】
次に、ＣＰＵ部３５は、ステップＳＴ８で、入力変換部Ａに異常が生じたことを報知する。遠隔監視所２００への報知は、例えば、遠隔監視所２００から所定時間毎に送られてくる読み出し要求時に、その異常情報を伝送し報知する。また、付近のユーザには、例えば、異常が検出された入力変換部をユーザが容易に知ることができるように、表示部３７に表示をする。このとき、表示部３７は報知部を構成している。ＣＰＵ部３５は、ステップＳＴ８で遠隔監視所２００への報知および表示部３７に表示をした後、ステップＳＴ９で一連の動作を終了する。
【００６８】
なお、詳細説明は省略するが、他の入力変換部Ｂ〜Ｇの異常判定も同様に行われる。
【００６９】
図７は、ステップＳＴ８で、ＣＰＵ部３５が表示部３７に入力変換部Ａ〜Ｇの状態を表示するときの、表示例を示した図である。
【００７０】
表示部３７は、マルチトランスデューサ１００の筐体（図示せず）の、ユーザの目に入りやすい位置に設けられている。表示部３７は、入力位置（ａ）〜（ｇ）が縦に並べられ、その横には、ＬＥＤ（Light Emitting Diode)等で構成されたライトが取り付けられている。ここで、入力位置の（ａ）〜（ｇ）は、それぞれ処理部３０の入力端子（２４ａ、２５ａ、２６ａ）〜（２４ｇ、２５ｇ、２６ｇ）の位置を示している。
【００７１】
ライトが点滅している場合はその左に書かれた位置に接続された入力変換部が異常であることを示す。ライトが点灯している場合はその左に書かれた位置に接続された入力変換部が正常であることを示す。また、ライトが消灯している場合は、その左に書かれた位置に入力変換部が接続されていないか、接続されている入力変換部に電源が入っていないことを示す。
【００７２】
図７に示すように、入力位置（ａ）および入力位置（ｃ）のライトは点滅しているので、そこに接続されている入力変換部に異常があり、故障している可能性があることを示している。また、入力位置（ｂ）および入力位置（ｄ）のライトは点灯しているので、そこに接続されている入力変換部は正常に動作していることがわかる。さらに、入力位置（ｅ）〜（ｇ）のライトはいずれも消灯の状態なので、入力変換部がその箇所に接続されていないか、そこに接続されている入力変換部の電源が切られていることがわかる。
【００７３】
このように、入力位置（ａ）〜（ｇ）のいずれかに接続されている入力変換部に異常がある場合、異常がある入力変換部の接続位置の横に取り付けられたランプが点滅することで、異常が生じている入力変換部をユーザに容易に知らせることができる。
【００７４】
また、ユーザは報知内容を確認することで、迅速に入力変換部の異常を対処することができる。例えば、図１に示すように、入力変換部Ａ〜Ｇが処理部３０から独立した構成である場合は、異常がある入力変換部だけを取り換えればよい。
【００７５】
なお、上述の実施の形態においては、表示部３７で、ライトを点滅、点灯、消灯させることによって、入力位置（ａ）〜（ｇ）に接続される入力変換部の状態を表すようにしたが、ライトの色を変えるようにしてもよい。
【００７６】
例えば、赤色、緑色、黄色のライトをそれぞれ入力位置（ａ）〜（ｇ）の横に取り付け、赤色のライトが点灯しているときは、その位置に接続される入力変換部に異常があることを示し、緑色のライトが点灯しているときは、その位置に接続された入力変換部が正常に動作していることを示し、黄色のライトが点灯している場合は、その位置に入力変換部が接続されていないか、その位置に接続された入力変換部に電源が入っていないことを示す。
【００７７】
また、上述の実施の形態においては、ユーザに報知をする方法として、表示部３７で表示をするようにしたがマルチトランスデューサ１００にスピーカを取り付けて、音声で報知をするようにしてもよい。音声で報知をする場合は、「入力位置（ａ）に接続された入力変換部で異常が発生しています。点検して下さい。」等、具体的にどの入力変換部に異常があるのかが、わかりやすくユーザに伝えられる。
【００７８】
このように、音声で入力変換部の異常が報知されることによって、ユーザがマルチトランスデューサ１００の付近にいない場合でも、入力変換部に異常があることを知らせることができる。
【産業上の利用可能性】
【００７９】
この発明は、入力変換部に異常が生じているかを判定し、異常があると判定した場合にユーザに報知するものであり、例えば、設備または装置からの信号を処理して遠隔監視所に伝送するマルチトランスデューサに適用できる。  
【図面の簡単な説明】
【００８０】
【図１】実施の形態としてのマルチトランスデューサの構成を示す図である。
【図２】電圧信号に対応した入力変換部Ａの構成を示す図である。
【図３】電流信号に対応した入力変換部Ｂの構成を示す図である。
【図４】直流電流信号に対応した入力変換部Ｃの構成を示す図である。
【図５】温度検出信号に対応した入力変換部Ｄの構成を示す図である。
【図６】入力変換部に異常があるかを判定する場合のＣＰＵ部の動作を示すフローチャートである。
【図７】入力変換部の状態を表示した表示例である。
【符号の説明】
【００８１】
Ａ〜Ｇ…入力変換部、１１ａ〜１１ｇ，２４ａ〜２４ｇ，２５ａ〜２５ｇ，２６ａ〜２６ｇ…入力端子、２１ａ〜２１ｇ，２２ａ〜２２ｇ，２３ａ〜２３ｇ，２７…出力端子、３０…処理部、３１…選択部、３２…チェック変換部、３３…Ａ／Ｄ変換部、３４…記憶部、３５…ＣＰＵ部、３６…伝送部、３７…表示部、４１…補助ＰＴ、４２，５３，６３，７３…フィルタ回路、４３，５４…レベル変換回路、４４，５５，６４，７４…識別情報記憶部、５１…補助ＣＴ、５２，６１，７１…電圧変換回路、６２，７２…絶縁アンプ、８０…温度センサ、１００…マルチトランスデューサ、２００…遠隔監視所
【図１】
2007207035.tif 000003
【図２】
2007207035.tif 000004
【図３】
2007207035.tif 000005
【図４】
2007207035.tif 000006
【図５】
2007207035.tif 000007
【図６】
2007207035.tif 000008
【図７】
2007207035.tif 000009